Podtech/llm-jp-corpus-v4-ja_patent huggingface dataset:
【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
グリコピロラートまたはその医薬的に許容される塩を含む吸入可能な心拍数低下用医薬組成物。
【請求項２】
請求項１に記載の医薬組成物を含む、心拍数上昇防止用医薬組成物。
【請求項３】
呼吸器系疾患を有する患者に使用される、請求項１または２に記載の医薬組成物。
【請求項４】
前記呼吸器系疾患が、慢性閉塞性肺疾患（ＣＯＰＤ）、喘息、嚢胞性線維症（ＣＦ）、及び関連する気道疾患から選択されるものである、請求項３に記載の医薬組成物。
【請求項５】
慢性閉塞性肺疾患（ＣＯＰＤ）を有する患者に使用される、請求項１〜請求項４のいずれか一項に記載の医薬組成物。
【請求項６】
心拍数上昇を特徴とする状態または障害の治療または予防に使用される、請求項１〜請求項５のいずれか一項に記載の医薬組成物。
【請求項７】
頻拍状態の治療または予防に使用される、請求項１〜請求項６のいずれか一項に記載の医薬組成物。
【請求項８】
薬剤により誘発された頻拍を有する患者に投与する、請求項７に記載の医薬組成物。
【請求項９】
前記頻拍が、サルブタモールの投与により誘発されたものである、請求項８に記載の医薬組成物。
【請求項１０】
薬剤により誘発されたものではない頻拍を有する患者に投与する、請求項７に記載の医薬組成物。
【請求項１１】
前記頻拍が、内分泌障害により誘発された頻拍である、請求項１０に記載の医薬組成物。
【請求項１２】
心室性頻拍、上室性頻拍、心房細動、房室結節性リエントリー性頻拍（ＡＶＮＲＴ）、房室リエントリー性頻拍（ＡＶＲＴ）、および接合部頻拍からなる群から選択される頻拍を有する患者に投与する、請求項７〜請求項１１のいずれか一項に記載の医薬組成物。
【請求項１３】
前記医薬組成物を投与される患者の安静時心拍数が９０ｂｐｍ超である、請求項１〜請求項１２のいずれか一項に記載の医薬組成物。
【請求項１４】
前記グリコピロラートまたはその医薬的に許容される塩が臭化グリコピロニウムを含む、請求項１〜請求項１３のいずれか一項に記載の医薬組成物。
【請求項１５】
グリコピロラートが１０〜５００μｇの量で存在する、請求項１〜請求項１４のいずれか一項に記載の医薬組成物。
【請求項１６】
グリコピロラートが２０μｇ〜４００μｇの量で存在する、請求項１５に記載の医薬組成物。
【請求項１７】
１日１回投与される、請求項１〜請求項１６のいずれか一項に記載の医薬組成物。
【請求項１８】
１以上の医薬的に許容される賦形剤を含む、請求項１〜請求項１７のいずれか一項に記載の医薬組成物。
【請求項１９】
乾燥粉末製剤として製剤化されている、請求項１〜請求項１８のいずれか一項に記載の医薬組成物。
【請求項２０】
力制御剤を更に含む、請求項１９に記載の医薬組成物。
【請求項２１】
前記力制御剤が、ステアリン酸金属塩またはその誘導体を含む、請求項２０に記載の医薬組成物。
【請求項２２】
前記力制御剤が、フマル酸ステアリルナトリウムまたは乳酸ステアリルナトリウムである、請求項２０に記載の医薬組成物。
【請求項２３】
前記力制御剤が、ステアリン酸金属塩を含む、請求項２０に記載の医薬組成物。
【請求項２４】
前記力制御剤がステアリン酸マグネシウムを含む、請求項２０に記載の医薬組成物。
【請求項２５】
担体を更に含む、請求項１〜請求項２４のいずれか一項に記載の医薬組成物。
【請求項２６】
前記担体がラクトースを含む、請求項２５に記載の医薬組成物。
【請求項２７】
前記担体がラクトース一水和物を含む、請求項２６に記載の医薬組成物。
【請求項２８】
臭化グリコピロニウムおよびラクトースを含む、請求項２６に記載の医薬組成物。
【請求項２９】
１％（ｗ／ｗ）の臭化グリコピロニウムおよび９９％（ｗ／ｗ）のラクトースを含む、請求項２８に記載の医薬組成物。
【請求項３０】
臭化グリコピロニウム、ラクトース、およびステアリン酸マグネシウムを含む、請求項２８に記載の医薬組成物。
【請求項３１】
１．０５％（ｗ／ｗ）の臭化グリコピロニウム、９８．８％（ｗ／ｗ）のラクトース、および０．１５％（ｗ／ｗ）のステアリン酸マグネシウム、または１％（ｗ／ｗ）の臭化グリコピロニウム、９８．８％（ｗ／ｗ）のラクトース、および０．２％（ｗ／ｗ）のステアリン酸マグネシウムを含む、請求項３０に記載の医薬組成物。
【請求項３２】
１以上の更なる活性薬剤を更に含む、請求項１〜請求項３１のいずれか一項に記載の医薬組成物。
【請求項３３】
前記更なる活性薬剤がインダカテロールを含む、請求項３２に記載の医薬組成物。
【請求項３４】
前記更なる活性薬剤がベータアゴニストを含む、請求項３２に記載の医薬組成物。
【請求項３５】
前記ベータアゴニストがホルモテロールフマル酸塩である、請求項３４に記載の医薬組成物。
【請求項３６】
呼吸器系疾患を有する患者においてベータアゴニストとの同時治療に用いられる、請求項１〜請求項３５のいずれか一項に記載の医薬組成物。
【請求項３７】
呼吸器系疾患を有する患者においてβ２アゴニストとの同時治療に用いられる、請求項１〜請求項３６のいずれか一項に記載の医薬組成物。
【請求項３８】
カプセルに吸入可能な単位用量が含まれている、請求項１〜請求項３７のいずれか一項に記載の医薬組成物。
【請求項３９】
前記カプセルが、ヒプロメロース（ＨＰＭＣ）または他のセルロースまたはセルロース誘導体でできたカプセルである、請求項３８に記載の医薬組成物。
【請求項４０】
吸入送達デバイスに１以上の単位用量が含まれている、請求項１〜請求項３９のいずれか一項に記載の医薬組成物。
【請求項４１】
前記吸入送達デバイスが吸入器である、請求項４０に記載の医薬組成物。
【請求項４２】
前記吸入送達デバイスが乾燥粉末吸入器である、請求項４１に記載の医薬組成物。
【請求項４３】
前記吸入送達デバイスが加圧定量吸入器である、請求項４１または請求項４２に記載の医薬組成物。
【請求項４４】
前記吸入送達デバイスがネブライザーである、請求項４１に記載の医薬組成物。
【請求項４５】
前記吸入送達デバイスが、組成物を湿気から保護する手段を含む、請求項４０〜請求項４４のいずれか一項に記載の医薬組成物。
【請求項４６】
投与対象が安静状態で使用する、グリコピロラートまたはその医薬的に許容される塩を含む吸入可能な心拍数抑制用医薬組成物。
【請求項４７】
呼吸器系疾患を有する患者に使用される、請求項４６に記載の医薬組成物。
【請求項４８】
慢性閉塞性肺疾患（ＣＯＰＤ）、喘息、嚢胞性線維症（ＣＦ）、および関連する気道疾患から選択される状態を有する患者に使用される、請求項４７に記載の医薬組成物。
【請求項４９】
心拍数を、少なくとも０．７５時間にわたり抑制する、請求項４６〜請求項４８のいずれか一項に記載の医薬組成物。
【請求項５０】
心拍数低下剤を必要とするまたは心拍数低下剤が必要になることが予想される患者に前記組成物を投与するための指示を更に含むパッケージに収容される、請求項１〜請求項４９のいずれか一項に記載の医薬組成物。
【請求項５１】
前記指示が、頻拍を有するまたは頻拍の予防が必要な患者に前記組成物を投与するための指示である、請求項５０に記載の医薬組成物。
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
雑草を制御する方法であって、前記方法が、領域内に種子を植えつけるステップと、アリールオキシアルカノエート除草剤を、前記領域に、前記領域への種子の植えつけ前３０日以内、または前記領域に植えつけた前記種子からの作物の出芽前３０日以内に散布するステップとを含み、前記種子が、配列番号２９によりコードされるＡＡＤ−１タンパク質と少なくとも７５％の同一性を有するＡＡＤ−１タンパク質をコードするポリヌクレオチドを含む方法。
【請求項２】
前記除草剤が、２，４−Ｄ、２，４−ＤＢ、ＭＣＰＡ、ＭＣＰＢおよびアリールオキシフェノキシプロピオネートからなる群から選択される、請求項１に記載の方法。
【請求項３】
第２の除草剤を前記領域に散布するステップを含む、請求項１に記載の方法。
【請求項４】
前記第２の除草剤が、グルフォシネート、グリホサートおよびジカンバからなる群から選択される、請求項３に記載の方法。
【請求項５】
前記方法が、前記領域におけるグリホサート耐性雑草を制御するために用いられ、前記種子が、グリホサート耐性形質をさらに含む植物に成長し、前記方法が、アリールオキシアルカノエート除草剤を、前記領域の少なくとも一部分に散布するステップを含む、請求項１に記載の方法。
【請求項６】
前記除草剤が、グリホサートとのタンクミックスから散布される、請求項５に記載の方法。
【請求項７】
前記雑草が、栽培中の領域にあり、前記領域が、前記種子から成長した複数の植物を含み、前記方法が、植物の上からアリールオキシアルカノエート除草剤を散布するステップを含む、請求項１に記載の方法。
【請求項８】
除草剤を、出芽前、出芽後、または出芽前および出芽後に、植物、植物の部分および／または栽培中の領域に散布するステップを含む、請求項７に記載の方法。
【請求項９】
前記ポリヌクレオチドが、配列番号２９を含む、請求項１に記載の方法。
【請求項１０】
前記種子が、アメリカンタイプカルチャーコレクション（ＡＴＣＣ）に受託番号ＰＴＡ−１０２４４の下で寄託された種子に存在するＡＡＤ−１イベントＤＡＳ−４０２７８−９を含むゲノムを含む、請求項１に記載の方法。
【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
受信機デバイスに電力を伝送するように構成されたワイヤレス電力送信機のワイヤレス電力伝送領域内にある通信デバイスを検出する方法であって、
ある電力レベルでワイヤレス電力伝送場を発生させるステップと、
第1の周波数で第1の信号を、および第2の周波数で第2の信号を送信するステップと、
前記第1の周波数と前記第2の周波数との相互変調積に対応した第3の周波数の第3の信号を検出するステップと、
前記第3の信号の検出に応答して、前記ワイヤレス電力伝送場の前記電力レベルを低減するステップと
を含む方法。
【請求項２】
前記ワイヤレス電力送信機によって引き出された電力の変化をモニタするステップと、
引き出された電力のモニタされる変化、または前記第3の信号の前記検出のうちの少なくとも1つに基づいて、前記通信デバイスを識別するステップと
をさらに含む請求項1に記載の方法。
【請求項３】
前記電力の変化をモニタするステップが、前記ワイヤレス電力送信機のドライバによって引き出された電流の変化をモニタするステップを含む、請求項2に記載の方法。
【請求項４】
前記電力の変化をモニタするステップが、前記ワイヤレス電力送信機のドライバの電圧の変化をモニタするステップを含む、請求項2または3に記載の方法。
【請求項５】
前記第1の信号および前記第2の信号が変調されていない、請求項1から4のいずれか一項に記載の方法。
【請求項６】
前記第3の周波数が、前記第1の周波数の2倍の値から前記第2の周波数の値を減じた値を有する周波数に対応する、請求項1から5のいずれか一項に記載の方法。
【請求項７】
ある間隔の間、前記ワイヤレス電力伝送場の発生を止めるステップと、前記間隔の間、前記第3の信号の存在についてモニタするステップとをさらに含む請求項1から6のいずれか一項に記載の方法。
【請求項８】
前記相互変調積が、2次相互変調積および3次相互変調積のうちの1つである、請求項1から7のいずれか一項に記載の方法。
【請求項９】
ワイヤレス電力伝送場を介して電力を伝送するための装置であって、
ある電力レベルで前記ワイヤレス電力伝送場を発生させるように構成されたワイヤレス電力送信機と、
第1の周波数で第1の信号を、および第2の周波数で第2の信号を送信するように構成された信号送信機と、
前記第1の周波数と前記第2の周波数との相互変調積に対応した第3の周波数の第3の信号を検出するように構成された検出器と、
前記第3の信号の検出に応答して、前記ワイヤレス電力伝送場の前記電力レベルを低減するように構成されたコントローラと
を含む装置。
【請求項１０】
前記ワイヤレス電力送信機によって引き出された電力の量を感知して、感知信号を発生させるように構成されたセンサと、
前記感知信号に基づいて、前記ワイヤレス電力送信機によって引き出された電力の変化をモニタし、引き出された電力のモニタされる変化、または前記第3の信号の前記検出のうちの少なくとも1つに基づいて、通信デバイスを識別するように構成されたコントローラと
をさらに含む請求項9に記載の装置。
【請求項１１】
前記ワイヤレス電力送信機がドライバを含み、前記センサが、前記ドライバによって引き出された電流の量を感知するように構成されている、請求項10に記載の装置。
【請求項１２】
前記ワイヤレス電力送信機がドライバを含み、前記センサが、前記ドライバの電圧レベルを感知するように構成されている、請求項10または11に記載の装置。
【請求項１３】
前記第1の信号および前記第2の信号が変調されていない、請求項9から12のいずれか一項に記載の装置。
【請求項１４】
前記第3の周波数が、前記第1の周波数の2倍の値から前記第2の周波数の値を減じた値を有する周波数に対応する、請求項9から13のいずれか一項に記載の装置。
【請求項１５】
前記相互変調積が、2次相互変調積および3次相互変調積のうちの1つである、請求項9から14のいずれか一項に記載の装置。
【請求項１６】
ワイヤレス電力伝送領域内にある通信デバイスを検出するための装置であって、
ある電力レベルでワイヤレス電力伝送場を発生させるための手段と、
第1の周波数で第1の信号を、および第2の周波数で第2の信号を送信するための手段と、
前記第1の周波数と前記第2の周波数との相互変調積に対応した第3の周波数の第3の信号を検出するための手段と、
前記第3の信号の検出に応答して、前記ワイヤレス電力伝送場の前記電力レベルを低減するための手段と
を含む装置。
【請求項１７】
ワイヤレス電力伝送場を発生させるための前記手段が、ワイヤレス電力送信コイルを含むワイヤレス電力送信機を含み、前記第1の信号および前記第2の信号を送信するための前記手段が、信号アンテナを含む信号送信機を含み、前記第3の信号を検出するための前記手段が、アンテナを含む検出器を含み、前記電力レベルを低減するための前記手段が、コントローラを含む、請求項16に記載の装置。
【請求項１８】
前記ワイヤレス電力送信機によって引き出された電力の変化をモニタするための手段と、
引き出された電力のモニタされる変化、または前記第3の信号の前記検出のうちの少なくとも1つに基づいて、前記通信デバイスを識別するための手段と
をさらに含む請求項17に記載の装置。
【請求項１９】
ワイヤレス電力伝送場を介してデバイスに電力を伝送するように構成されたワイヤレス電力送信機のワイヤレス電力伝送領域内にある通信デバイスを検出するように構成されたプログラムのために、データを処理するためのコンピュータプログラムであって、処理回路に、
第1の周波数で第1の信号を、および第2の周波数で第2の信号を送信させ、
前記第1の周波数と前記第2の周波数との相互変調積に対応した第3の周波数の第3の信号を検出させ、
前記第3の信号の検出に応答して、前記ワイヤレス電力伝送場の電力レベルを低減させるための
ように構成されるコードを含むコンピュータプログラム。
【請求項２０】
処理回路に、
前記ワイヤレス電力送信機によって引き出された電力の変化をモニタさせ、
引き出された電力のモニタされる変化、または前記第3の信号の前記検出のうちの少なくとも1つに基づいて、前記通信デバイスを識別させる
ように構成されるコードをさらに含む請求項19に記載のコンピュータプログラム。
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
ディストリビュータプレート（２；３２）、エンドプレート（３；３３）、前記ディストリビュータプレートを前記エンドプレートと連結する複数の本質的に平行なタイロッド（４，６；３４，３６）、及び前記ディストリビュータプレートと前記エンドプレートの間で前記タイロッドに摺動自在に装着された圧縮プレート（５；３５）を含むクロスフロー濾過カセットホルダ（１；３１）であって、前記タイロッドの少なくとも１つ（６；３６）はその全体が、フィルターカセット（９；３９）の装着又は取り外しを可能にする開放位置又は配置（７；３７）と、可動のタイロッドがカセットと係合連結し、ロック手段（１０；４０）によりカセットをホルダ内にロックする閉鎖位置又は配置（８；３８）との間で可動である、クロスフロー濾過カセットホルダ（１；３１）。
【請求項２】
前記可動のタイロッド（６；３６）が単体として形成されている、請求項１記載のクロスフロー濾過カセットホルダ（１；３１）。
【請求項３】
前記可動のタイロッド（６；３６）がステンレス鋼のような鉄金属を含んでいる、或いは前記可動のタイロッド（６；３６）が約２０ｍｍ未満、例えば約１０〜１５ｍｍの直径を有する、請求項１又は請求項２記載のクロスフロー濾過カセットホルダ（１；３１）。
【請求項４】
前記タイロッド（４，６；３４，３６）の少なくとも２つ（６；３６）はその全体が開放位置又は配置と閉鎖位置又は配置の間で可動である、請求項１乃至請求項３のいずれか１項記載のクロスフロー濾過カセットホルダ（１；３１）。
【請求項５】
前記ディストリビュータプレート（２；３２）が、フィルターカセット（９；３９）上の穴に対応する保持液（１６）及び透過液（１７）穴と流体連結した保持液（１４；４４）及び透過液（１５；４５）入口及び出口コネクターを含む、請求項１乃至請求項４のいずれか１項記載のクロスフロー濾過カセットホルダ（１；３１）。
【請求項６】
前記可動のタイロッド（６）が横方向に可動であり、前記可動のタイロッド（６）の端部が、任意には、エンドプレート及びディストリビュータプレートに、例えばプレートの細長い開口（１３）を介して摺動自在に連結する、請求項１乃至請求項５のいずれか１項記載のクロスフロー濾過カセットホルダ（１）。
【請求項７】
さらに、ディストリビュータプレート及びエンドプレートに設置されたピン（１１）を含み、前記ピンが前記横方向に可動のタイロッドを開放位置と閉鎖位置との間で移動させるように配置され、前記ピン（１１）が任意には前記横方向に可動のタイロッド（６）と係合する凹み（１２）を含む、請求項６記載のクロスフロー濾過カセットホルダ。
【請求項８】
前記可動のタイロッド（３６）が、その長さ軸の回りで回転可能であり、ディストリビュータプレート（３２）及びエンドプレート（３３）と接触する領域（４２）で円形の断面を有し、ディストリビュータプレートとエンドプレートの間の領域の少なくとも一部（４１）で先端を切った円形断面を有する、請求項１乃至請求項７のいずれか１項記載のクロスフロー濾過カセットホルダ（３１）。
【請求項９】
請求項１乃至請求項８のいずれか１項記載のクロスフロー濾過カセットホルダ（１；３１）及び前記ホルダ内に装着された少なくとも１つのフィルターカセット（９；３９）を含むクロスフロー濾過モジュール。
【請求項１０】
フィルターカセット（９；３９）をクロスフロー濾過カセットホルダ（１；３１）内に装着するための方法であって、カセットをホルダ内に配置し、少なくとも１つのタイロッド（６；３６）の全体を開放位置又は配置からカセットとのロック係合を有する閉鎖位置又は配置に移動させることを含む方法。
【手続補正書】
【提出日】平成27年3月25日(2015.3.25)
【手続補正１】
【補正対象書類名】明細書
【補正対象項目名】００２０
【補正方法】変更
【補正の内容】
【００２０】
【図１Ａ】この発明に従った容器本体を製造する方法の一段階を示す図である。
【図１Ｂ】この発明に従った容器本体を製造する方法の一段階を示す図である。
【図１Ｃ】この発明に従った容器本体を製造する方法の一段階を示す図である。
【図１Ｄ】この発明に従った容器本体を製造する方法の一段階を示す図である。
【図１Ｅ】この発明に従った容器本体を製造する方法の一段階を示す図である。
【図２】この発明に従った容器のプリフォームの断面を示す図である。
【図３Ａ】図２に示すコンテナ容器プリフォームに存在するビードを捩じり、軸方向に閉鎖する一段階を示す図である。
【図３Ｂ】図２に示すコンテナ容器プリフォームに存在するビードを捩じり、軸方向に閉鎖する一段階を示す図である。
【図３Ｃ】図２に示すコンテナ容器プリフォームに存在するビードを捩じり、軸方向に閉鎖する一段階を示す図である。
【図３Ｄ】図２に示すコンテナ容器プリフォームに存在するビードを捩じり、軸方向に閉鎖する一段階を示す図である。
【図３Ｅ】図２に示すコンテナ容器プリフォームに存在するビードを捩じり、軸方向に閉鎖する一段階を示す図である。
【図４】この発明に従った容器本体用の別のプリフォームの断面である。
【図５Ａ】図４に示すコンテナ容器用プリフォームに形成されたビードを捩じり、閉鎖する一段階を示す図である。
【図５Ｂ】図４に示すコンテナ容器用プリフォームに形成されたビードを捩じり、閉鎖する一段階を示す図である。
【図５Ｃ】図４に示すコンテナ容器用プリフォームに形成されたビードを捩じり、閉鎖する一段階を示す図である。
【図６】容器本体の壁に２つのビードを異なる方向で形成する代替例を示す図である。
【図７Ａ】図５Ｄまたは図６に示すビードの径方向圧縮を示す図である。
【図７Ｂ】図５Ｄまたは図６に示すビードの径方向圧縮を示す図である。
【図７Ｃ】図５Ｄまたは図６に示すビードの径方向圧縮を示す図である。
【図８Ａ】容器壁に径方向伸張による捩じられたビードの圧縮を示す図である。
【図８Ｂ】容器壁に径方向伸張による捩じられたビードの圧縮を示す図である。
【図８Ｃ】容器壁に径方向伸張による捩じられたビードの圧縮を示す図である。
【図８Ｄ】容器壁に径方向伸張による捩じられたビードの圧縮を示す図である。
【図９】容器キャップとのスナップ接続の一部としての、外向きに延在する捩じられ圧縮されたビードの使用を示す図である。
【図１０】図２のプリフォームを示す図である。
【図１１Ａ】閉鎖されたビードを製造するための代替的な態様を示す図である。
【図１１Ｂ】閉鎖されたビードを製造するための代替的な態様を示す図である。
【図１１Ｃ】閉鎖されたビードを製造するための代替的な態様を示す図である。
【図１１Ｄ】閉鎖されたビードを製造するための代替的な態様を示す図である。
【図１２Ａ】開放された形で周囲にわたって延在する蛇行ビードを示す図である。
【図１２Ｂ】捩じられた形で周囲にわたって延在する蛇行ビードを示す図である。
【図１３Ａ】開放された形で増減するビード幅を有する波状ビードを示す図である。
【図１３Ｂ】捩じられた形で増減するビード幅を有する波状ビードを示す図である。
【図１４Ａ】四つ葉のクローバーの印象を与える、開放された形の装飾的なビードを示す図である。
【図１４Ｂ】四つ葉のクローバーの印象を与える、閉鎖された形の装飾的なビードを示す図である。
【図１５Ａ】内向きに延在している隣接する窪みの形をしたビードを示す図である。
【図１５Ｂ】ビードを捩じり閉鎖した後で形成され、内向きに延在している隣接する窪みの形をしたビードを示す図である。
【図１５Ｃ】ビードを捩じり閉鎖した後で形成され、外向きに延在している隣接する窪みの形をしたビードを示す図である。
【図１６Ａ】捩じられたビードに接続された挿入物の使用を示す斜視図である。
【図１６Ｂ】捩じられたビードに接続された挿入物の使用を示す斜視図である。
【図１６Ｃ】捩じられたビードに接続された挿入物の使用を示す断面図である。
【図１７】捩じられ、径方向内向きに圧縮されたこの発明の容器本体を含む容器を示す図である。
【手続補正書】
【提出日】平成27年4月13日(2015.4.13)
【手続補正１】
【補正対象書類名】特許請求の範囲
【補正対象項目名】全文
【補正方法】変更
【補正の内容】
【特許請求の範囲】
【請求項１】
エチレンオキシド製造用触媒であって、少なくとも支持体に担持された銀を含み、該支持体のＤＩＮ−ＩＳＯ９２７７により求めたＢＥＴ定数Ｃが０〜８００の範囲にあることを特徴とする触媒。  
【請求項２】
上記支持体がアルミナ支持体である請求項１に記載の触媒。
【請求項３】
上記アルミナの純度が少なくとも８５％である請求項２に記載の触媒。
【請求項４】
上記支持体が二峰性気孔分布を有する請求項１〜３のいずれか一項に記載の触媒。
【請求項５】
上記触媒が銀を５〜３５質量％の量で含む請求項１〜４のいずれか一項に記載の触媒。
【請求項６】
上記触媒がレニウムを含む請求項１〜５のいずれか一項に記載の触媒。
【請求項７】
上記触媒がさらにタングステン、リチウム、硫黄、セシウム、クロム、マンガン、モリブデン、カリウム、及びこれらの二つ以上の混合物からなる群から選ばれる少なくとも一種の他の促進剤を含む請求項１〜６のいずれか一項に記載の触媒。
【請求項８】
エチレンオキシド製造用触媒のための触媒支持体であって、その支持体のＤＩＮ−ＩＳＯ９２７７により求めたＢＥＴ定数Ｃが０〜８００の範囲にあることを特徴とする支持体。
【請求項９】
上記支持体がアルミナ支持体である請求項８に記載の支持体。
【請求項１０】
上記アルミナの純度が少なくとも８５％である請求項９に記載の支持体。
【請求項１１】
上記支持体が二峰性気孔分布を有する請求項８〜１０のいずれか一項に記載の支持体。
【請求項１２】
エチレンオキシド製造用触媒の製造方法であって、少なくとも
（ｉ）ＤＩＮ−ＩＳＯ９２７７により求めたＢＥＴ定数Ｃが０〜８００の範囲である支持体を提供する工程、及び
（ｉｉ）（ｉ）からの支持体に銀を塗布する工程
を含む方法。
【請求項１３】
請求項１２に記載の方法で得られるあるいは得られた触媒。
【請求項１４】
請求項１〜７または１３のいずれか一項に記載の触媒の存在下でエチレンを酸化することを含むエチレンからエチレンオキシドを製造する方法。
【請求項１５】
請求項１〜７または１３のいずれか一項に記載の触媒のエチレンからエチレンオキシドの製造のための使用方法。
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
コンベアシステムを清掃するクリーニング装置において、前記コンベアシステムが、製品がそれに沿って移動せしめられる細長い経路を規定しておりかつ製品が懸垂される対向した滑動面を有している溝穴付きのトラックを備えており、前記コンベアシステムは、前記溝穴付きのトラックの上方に設けられておりかつ該トラックと協働して前記細長い経路に沿った製品通路を規定している壁も備えている、クリーニング装置であって、
駆動ユニットと、
前記駆動ユニットに回転可能に結合されており、かつ前記駆動ユニットを前記溝穴付きのトラックに沿って移動させるように前記製品通路内の前記壁と係合するように付勢されているホイールと、
前記駆動ユニットに結合されておりかつ前記駆動ユニットを前記溝穴付きのトラック上に支持するように前記滑動面と係合可能である滑動部と、
前記駆動ユニットに結合されておりかつ前記トラックを清掃するように前記製品通路内に位置決め可能であるクリーニング具と、
を備えていることを特徴とする、クリーニング装置。
【請求項２】
請求項１に記載のクリーニング装置であって、
前記ホイールが該クリーニング装置の中心面を規定しており、前記滑動部が該中心面に沿って前記ホイールと整合されていることを特徴とする、請求項１に記載のクリーニング装置。
【請求項３】
請求項１に記載のクリーニング装置であって、
前記駆動ユニットがハウジングを備えており、該クリーニング装置は、前記ハウジング内に設けられかつ前記駆動ユニットを前記溝穴付きのトラックに沿って移動させるように前記ホイールに動作可能に接続されている電源とモーターとを更に備えていることを特徴とする、請求項１に記載のクリーニング装置。
【請求項４】
前記駆動ユニットの移動を制御するように、前記モーター及び前記電源と電気通信するコントローラーを更に備えていることを特徴とする、請求項３に記載のクリーニング装置。
【請求項５】
前記駆動ユニットに結合されておりかつ前記溝穴付きトラックに沿って位置決めされているトラックマーカーを検知するように位置決めされているセンサー装置を更に備えており、該センサー装置は前記コントローラーと通信し、前記駆動ユニットの移動が前記トラックマーカーの検知に応答して制御されることを特徴とする、請求項４に記載のクリーニング装置。
【請求項６】
前記センサー装置が前記トラックマーカーの磁場を検知するように動作可能であることを特徴とする、請求項５に記載のクリーニング装置。
【請求項７】
前記駆動ユニットが、前記トラックマーカーの検知に応答して、始動、停止、加速、及び減速のうちの少なくとも１つをなすように構成されていることを特徴とする、請求項５に記載のクリーニング装置。
【請求項８】
前記駆動ユニットが、前記トラックマーカーの検知に応答して方向を逆にするように構成されていることを特徴とする、請求項５に記載のクリーニング装置。
【請求項９】
前記クリーニング具が前記滑動部に取り付けられていることを特徴とする、請求項１に記載のクリーニング装置。
【請求項１０】
前記滑動部と前記クリーニング具との間に結合されている取り付け機構を更に備えており、前記クリーニング具は前記取り付け機構に取り外し可能に結合されていることを特徴とする、請求項９に記載のクリーニング装置。
【請求項１１】
前記取り付け機構が、該取り付け機構を前記トラックの上方に支持するように該トラックと係合可能な安定化装置を備えていることを特徴とする、請求項１０に記載のクリーニング装置。
【請求項１２】
前記駆動ユニットに枢動可能に結合されておりかつ前記ホイールを前記壁と係合するように付勢されている懸垂アームを更に備えており、前記滑動部が前記懸垂アームの遠位端に結合されていることを特徴とする、請求項１に記載のクリーニング装置。
【請求項１３】
請求項１２に記載のクリーニング装置であって、
前記懸垂アームが第１の懸垂アームであり、前記滑動部が、前記駆動ユニットの第１の端部に隣接した位置で前記第１の懸垂アームに結合されている第１の滑動部であり、該クリーニング装置は、前記駆動ユニットに枢動可能に結合されておりかつ該駆動ユニットと協働して前記ホイールを前記壁に係合させるように付勢されている第２の懸垂アームと、該第２の懸垂アームの遠位端に結合されておりかつ前記駆動ユニットの前記第１の端部と反対側の第２の端部に隣接して配置されている第２の滑動部と、を更に備えていることを特徴とする、請求項１２に記載のクリーニング装置。
【請求項１４】
前記駆動ユニットを前記溝穴付きのトラック内で手動で操作するように、前記第２の滑動部に結合されているフックを更に備えている、請求項１３に記載のクリーニング装置。
【請求項１５】
前記滑動部が、整合用キーを備えておりかつ連結ピンによって前記懸垂アームに枢動可能に結合されていることを特徴とする、請求項１２に記載のクリーニング装置。
【請求項１６】
前記滑動部が溝穴を画成しており、前記懸垂アームが、前記滑動部の枢動動作を制限するように該溝穴内に設けられている枢動ピンを有していることを特徴とする、請求項１５に記載のクリーニング装置。
【請求項１７】
前記整合用キーが、前記コンベアシステムによって分配される前記製品の上端の形状に概ね合致する形状とされたフランジを有していることを特徴とする、請求項１５に記載のクリーニング装置。
【請求項１８】
前記フランジが実質的に円形でありかつ前記トラックによって支持される前記製品の首端部の直径に実質的に対応する直径を有していることを特徴とする、請求項１７に記載のクリーニング装置。
【請求項１９】
前記フランジが第１の係合面と第２の係合面とを有しており、前記該第２の係合面は、前記第１の係合面よりも幅が広くかつ該第１の係合面から前記フランジの外周に向かってテーパーが付けられていることを特徴とする、請求項１７に記載のクリーニング装置。
【請求項２０】
前記駆動ユニットの側面に結合されて前記コンベアシステムの一部分を清掃するクリーニングパッドを備えているクリーニングヘッドを更に備えていることを特徴とする、請求項１に記載のクリーニング装置。
【請求項２１】
前記ホイールは、前記製品通路内の前記壁と係合するように、ばねによって弾性的に付勢されことを特徴とする、請求項１に記載のクリーニング装置。
【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
パタートレーニング用具およびパターであって、
パタートレーニング用具は、枢動可能に装着された振り子を備え、振り子枢動部は、少なくとも１つの支持部により地面の上に立ち上げられ、前記振り子の下部領域は、使用する際に前記振り子のパター取付手段によってパターに取り付けられるように配置され、
パターは、パターのヘッドをパタートレーニング用具に取り付けるための取付手段を有するパタートレーニング用具およびパターにおいて、
取付手段が、その中に前記パタートレーニング用具の前記パター取付手段を摺動可能に受け入れるように作動可能な取付穴を、前記パターのトウ内に備え、
前記パター取付手段および前記取付穴は、前記パター取付手段と前記パターのヘッドとの間の回転変位を協働して防止するような形状に形成されることを特徴とするパタートレーニング用具およびパター。
【請求項２】
前記パター取付手段は取付ピンを備える、請求項１に記載のパタートレーニング用具およびパター。
【請求項３】
使用中に、前記振り子が使用者の頭部を正確に位置決めするための手段を提供するように、前記振り子が延びる方向とは反対の方向に前記枢動部の上方に垂直に延びる頭部位置部材をさらに備える、請求項１または２に記載のパタートレーニング用具およびパター。
【請求項４】
前記振り子は長さを調節可能である、請求項１から３のいずれか一項に記載のパタートレーニング用具およびパター。
【請求項５】
支持部が少なくとも１つの枢動可能に装着された調節可能な脚をさらに備える、請求項１から４のいずれか一項に記載のパタートレーニング用具およびパター。
【請求項６】
前記パターのヘッドへの取付に適切なパターシャフトをさらに備える、請求項１から５のいずれか一項に記載のパタートレーニング用具およびパター。
【請求項７】
前記パターシャフトは長さを調節可能である、請求項６に記載のパタートレーニング用具およびパター。
【請求項８】
前記取付手段は交換可能なバラストウェイトとして作動可能である、請求項１から７のいずれか一項に記載のパタートレーニング用具およびパター。
【請求項９】
前記バラストウェイトを受け入れるために作動可能なバラストウェイト穴を備える、請求項８に記載のパタートレーニング用具およびパター。
【請求項１０】
前記バラストウェイトおよび前記バラストウェイト穴は、それらの間の回転変位を防止するように協働して作動可能である、請求項９に記載のパタートレーニング用具およびパター。
【請求項１１】
パッティングストローク中に、最適な使用者の頭部位置を示す視線を提供するように協働して作動可能な整列部材および整列マーカーをさらに備える、請求項１から１０のいずれか一項に記載のパタートレーニング用具およびパター。
【請求項１２】
相対回転変位が防止されるように、振り子の下部領域をパターのトウ端部内の穴に取り付けること、および、地面の上に立ち上げられる前記振り子の枢動部の周りに、前記パターを動かすことを含む、パタートレーニング用具およびパターを使用する方法。
【請求項１３】
前記パターを前記枢動部の周りに動かす間、前記パターの下部領域に配置された上部および下部マーカーの相対配向を監視することを含む、請求項１２に記載の方法。
【請求項１４】
請求項１から１１のいずれか一項に記載のパタートレーニング用具およびパターを使用する際の、請求項１２または１３に記載の方法。
【手続補正２】
【補正対象書類名】明細書
【補正対象項目名】発明の名称
【補正方法】変更
【補正の内容】
【発明の名称】パタートレーニング用具およびパター、並びに、その使用方法
【手続補正３】
【補正対象書類名】明細書
【補正対象項目名】０００１
【補正方法】変更
【補正の内容】
【０００１】
本発明は、ゴルフクラブ、ゴルフクラブを使用する方法、ゴルフトレーニング用具、特にゴルファーのパッティングストロークを改善するためのパタートレーニング用具に関し、より詳細には、打たれるゴルフボールに対してゴルファーの頭部の正確な位置決めを容易にするためのパタートレーニング用具に関する。
【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
本体であって、同本体は、該本体の第１の端における針先部と、該本体の第２の端における糸取り付け部と、該第１および第２の端の間の屈曲部とを含む、前記本体と、
前記本体の第１の端に形成されるとともに各々が凸面を含む少なくとも３つの切子面とを備え、各切子面の該凸面は、釣り針の該針先部の先端から同針先部とは反対側の対応する切子面の一端まで延びる線に対して凸状をなすことを特徴とする釣り針。
【請求項２】
前記本体は径を有し、各切子面の凸面は、該径の１５倍乃至１５０倍の曲率半径を有することを特徴とする請求項１に記載の釣り針。
【請求項３】
前記針先は、３つの切子面のみを含むことを特徴とする請求項２に記載の釣り針。
【請求項４】
各凸状切子面の長さは、前記本体の径の２倍乃至６倍であることを特徴とする請求項２に記載の釣り針。
【請求項５】
前記針先は、３つの切子面のみを含むことを特徴とする請求項４に記載の釣り針。
【請求項６】
シャンク部、前記屈曲部、および前記針先部は、すべて１つのワイアから形成され、該糸取り付け部は、チモトであることを特徴とする請求項１に記載の釣り針。
【請求項７】
前記ワイアは径を有し、各凸面の長さは、前記ワイアの径の４．５倍であり、各切子面の凸面は、該ワイアの径の３０倍の径を有することを特徴とする請求項６に記載の釣り針。
【請求項８】
さらにかかりを備えることを特徴とする請求項１に記載の釣り針。
【請求項９】
各切子面は、第１および第２の凸面を含み、各切子面において、前記第１の凸面は第１の径を有し、前記第２の凸面は第２の径を有することを特徴とする請求項１に記載の釣り針。
【請求項１０】
ワイアの第１の端に少なくとも３つの凸状切子面を研磨により形成する工程であって、
該少なくとも３つの凸状切子面は、該ワイアの第１の端において針先を形成するように交差し、各切子面は、該針先から同針先の反対側の切子面の一端まで延びる線に対して凸状をなす、前記少なくとも３つの凸状切子面を研磨により形成する工程と、
該ワイアの第１の端と該ワイアの第２の端との間において該ワイアに屈曲部を形成する工程とを含むことを特徴とする釣り針の製造方法。
【請求項１１】
前記複数の凸状切子面を研磨により形成する工程は、前記ワイアの径の１５倍乃至１５０倍の径に前記少なくとも３つの凸状切子面を研磨により形成する工程を含むことを特徴とする請求項１０に記載の方法。
【請求項１２】
前記少なくとも３つの凸状切子面を研磨により形成する工程は、前記ワイアの径の２倍乃至６倍の長さに前記少なくとも３つの凸状切子面を研磨により形成する工程をさらに含むことを特徴とする請求項１１に記載の方法。
【請求項１３】
かかりを形成する工程をさらに含むことを特徴とする請求項１１に記載の方法。
【請求項１４】
前記少なくとも３つの凸状切子面を研磨により形成する工程は、各切子面において、第１の径を有する第１の凸面を研磨により形成する工程と、第２の径を使用して第２の凸面を研磨により形成する工程とを含むことを特徴とする請求項１０に記載の方法。
【請求項１５】
径を有するワイアのワイア本体と、
該ワイアの第１の端に３つの切子面を備えた針先であって、同針先の各切子面は該針先において該ワイア本体の長手軸に対して凸状をなす湾曲した面を有するとともに、該ワイアの径の２倍乃至６倍の長さを有し、各切子面の湾曲した面は、該針先の先端から該針先とは反対側の切子面の一端における該切子面の開始点まで延びる線から外方に湾曲し、各切子面は、該ワイアの径の３０倍乃至１５０倍の径を有し、該切子面は該針先を形成するように交差する、前記針先と、
該ワイアの第２の端におけるチモトと、
同チモトと該針先との間の屈曲部と、
同屈曲部と該針先との間のかかりとを備えることを特徴とする釣り針。
【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
タバコ製品用のフィルタ材料の処理装置であって、可塑化流体製品の格納タンク（３０）を備えており、
前記格納タンク（３０）は、基部（３２）と、上方開口（３４）と、を有しており、
少なくとも１つのフィルタ材料の連続的なストリップ（３６）が、タバコ製品用のフィルタを処理して成形するそれぞれの処理成形ライン（１６）に沿って、前記格納タンク（３０）の前記上方開口（３４）に供給されるようになっており、
前記処理装置は、
フィルタ材料の連続的な前記ストリップ（３６）に向かって方向付けられた可塑化流体の流れを発生させる発生手段（３８）と、
前記格納タンク（３０）の前記上方開口（３４）のための遮蔽手段（４６）と、を備えており、
前記遮蔽手段（４６）は、前記ストリップ（３６）を前記可塑化流体の流れに露出させる露出ウィンドウ（４８）を形成しており、
前記露出ウィンドウ（４８）は、前記格納タンク（３０）の前記上方開口（３４）の寸法よりも小さい所定の寸法を有するとともに、前記ストリップ（３６）の幅と等しい幅を有することを特徴とする、処理装置。
【請求項２】
前記遮蔽手段（４６）が、処理されるべきフィルタ材料の前記ストリップ（３６）の幅に応じて交換可能であることを特徴とする請求項１に記載の処理装置。
【請求項３】
前記遮蔽手段（４６）が、互いに別個の複数の要素（５０）によって形成されており、前記複数の要素（５０）が、同一平面上に位置するそれぞれの上壁部（５２）を備えることを特徴とする請求項１または２に記載の処理装置。
【請求項４】
前記遮蔽手段（４６）が、互いに接続された複数の要素（５０）によって形成されており、前記複数の要素（５０）が、同一平面上に位置するそれぞれの上壁部（５２）を備えることを特徴とする請求項１または２に記載の処理装置。
【請求項５】
各々の前記要素（５０）が、平板（５４）の形態を有することを特徴とする請求項３または４に記載の処理装置。
【請求項６】
前記格納タンク（３０）が、前記遮蔽手段（４６）を支持する下方の支持手段（９４）を備えることを特徴とする請求項１〜５のいずれか１項に記載の処理装置。
【請求項７】
前記処理装置が、前記格納タンク（３０）の内側に配置されるダクト（９６）を備えており、
前記ダクト（９６）が、第１の側壁部（９８）と第２の側壁部（１００）とを備えており、前記遮蔽手段（４６）が前記ダクト（９６）の前記第１及び第２の側壁部（９８，１００）によって支持されることを特徴とする請求項６に記載の処理装置。
【請求項８】
前記処理装置が、前進する前記ストリップ（３６）を前記露出ウィンドウ（４８）と整列させる整列手段（１０６）を備えることを特徴とする請求項１〜７のいずれか１項に記載の処理装置。
【請求項９】
前記整列手段（１０６）が、前記ストリップ（３６）が位置する平面に対して垂直な複数のピン（１０８）を備えることを特徴とする請求項８に記載の処理装置。
【請求項１０】
前記ストリップ（３６）が、前記ピン（１０８）のそれぞれの対（１１２，１１４）のうちの少なくとも１つによって整列されたまま保持されるようになっており、
前記ピン（１０８）が前記ストリップ（３６）の側方縁部（１１０）と接触することによって、前記ストリップ（３６）の整列状態が定められることを特徴とする請求項９に記載の処理装置。
【請求項１１】
前記ピン（１０８）は、前記露出ウィンドウ（４８）との前記整列状態が前記ストリップ（３６）の幅に応じて調節されるように、前記ストリップ（３６）の供給方向（Ｄ）を横断する方向に移動可能であることを特徴とする請求項１０に記載の処理装置。
【請求項１２】
前記処理装置が閉塞蓋（１１８）を備えており、
前記閉塞蓋が、前記可塑化流体の排出用の少なくとも１つの排出要素（１２２）を前記閉塞蓋の内面（１１８ａ）に備えることを特徴とする請求項１〜１１のいずれか１項に記載の処理装置。
【請求項１３】
前記排出要素（１２２）が、少なくとも１つのリブ又は突起（１２６）の形態を有することを特徴とする請求項１２に記載の処理装置。
【請求項１４】
前記排出要素（１２２）が、前記閉塞蓋（１１８）の前記内面（１１８ａ）に形成された少なくとも１つの溝（１２８）の形態を有することを特徴とする請求項１２に記載の処理装置。
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
少なくとも１つの貫入部材と；
少なくとも１つの貫入部材に連結されるように構成された貫入部材ドライバと；
スポーク状のディスク基板上に位置し、各貫入部材が、ディスク基板のスポーク間を通って、ディスクを取り外すことなく、使用済みの貫入部材を除去して新しい貫入部材を挿入できるようにする複数の被検体センサと；
少なくとも１つの貫入部材および複数の被検体センサを収納する使い捨てのハウジングと：
を備える体液検査デバイス。
【請求項２】
複数のスポークの少なくとも一部分は、穿刺のための貫通孔へのアクセスを容易にするために、スポーク状のディスクの平面から外れるように曲げることができ、そして１つまたはそれ以上の被検体センサの位置を変えることを可能にする、請求項１に記載のデバイス。
【請求項３】
複数のセンサはスポーク状のディスク上に配列される、請求項１に記載のデバイス。
【請求項４】
各センサは湿気から個別に封止され、カセット・ハウジングは、新しいセンサが使用のために位置決めされるとき、湿気封止を除去する、請求項１に記載のデバイス。
【請求項５】
各センサは湿気から個別に封止され、デバイスが、新しいセンサが使用のために位置決めされるとき、湿気封止を除去する、請求項１に記載のデバイス。
【請求項６】
貫入部材は、機械的な把持またはリンクなしで貫入部材ドライバに連結されるように構成される、請求項１に記載のデバイス。
【請求項７】
位置センサの傍らに存在するように構成された少なくとも１つの位置フラグ：
をさらに備える、請求項１に記載のデバイス。
【請求項８】
貫入部材は、貫入部材の運動範囲を制限するように使い捨てハウジングとともに働く機能を含む、請求項１に記載のデバイス。
【請求項９】
乾燥剤特性を含む滅菌バリア：
をさらに備える、請求項１に記載のデバイス。
【請求項１０】
オーバーモールドが貫入部材に対するデバイス・インターフェースを含むオーバーモールド成形された貫入部材であって、オーバーモールドが貫入部材に対するデバイス・インターフェースである、該オーバーモールド成形貫入部材：
をさらに備える、請求項１に記載のデバイス。
【請求項１１】
オーバーモールドが貫入部材に対する滅菌封止を提供する、請求項１０に記載のデバイス。
【請求項１２】
貫入部材に対するセンサの位置を管理して、使用時以外はランセットに対してセンサを軸外に配置することを可能にするように構成された使い捨て部分の関節要素：
をさらに備える、請求項１に記載のデバイス。
【請求項１３】
チャンバの端部でキャップに抗してセンサを付勢するデバイス：
をさらに備える、請求項１に記載のデバイス。
【請求項１４】
センサを付勢するデバイスはばねである、請求項１３に記載のデバイス。
【請求項１５】
１つの血糖センサのみを受けるキャップの封止面のポケット：
をさらに備える、請求項１３に記載のデバイス。
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
画像収集装置と、
画像セグメンテーション装置と、
可視化装置と、
個別選択ボタンと
を有する医用画像装置であって、
前記画像収集装置が患者の体内の関心領域の画像を収集し、
前記画像セグメンテーション装置が画像セグメンテーション技術を用いて収集画像内の解剖学的構造若しくは装置構造を自動的に識別し、
前記画像セグメンテーション装置がさらに、異なって識別された解剖学的構造若しくは装置構造をあらわす複数の候補画像を提供し、
前記可視化装置が前記複数の候補画像をディスプレイ上に可視化し、
前記医用画像装置が前記選択ボタンを駆動することのみによって前記複数の候補画像から一つの候補画像を手動で選択するように構成され、
前記選択ボタンは、コンピュータ装置にデータを入力するための他の入力装置に加えて設けられ及び前記入力装置から空間的に離れて設けられ、前記コンピュータ装置に接続されており、前記選択ボタンは、その位置が前記ディスプレイ及び前記入力装置から空間的に離れていて、前記患者台のところに又は前記患者テーブルの近くに配されるので、インターベンションする医師によって医用インターベンション中に容易に操作可能である、医用画像装置。
【請求項２】
前記可視化装置が一度に一つの特定の候補画像を可視化し、前記選択ボタンの駆動時に次の候補画像を可視化し選択する、請求項１に記載の医用画像装置。
【請求項３】
前記可視化装置が覆うような方法で同時に前記複数の候補画像を可視化し、一度に一つの特定候補画像を視覚的に強調し、前記選択ボタンの駆動時に次の候補画像を視覚的に強調し選択する、請求項１に記載の医用画像装置。
【請求項４】
前記可視化装置が順々に前記複数の候補画像を個別に可視化し、各候補画像はある期間可視化され、特定候補画像はこの候補画像が可視化されている間に前記選択ボタンの駆動によって選択される、請求項１に記載の医用画像装置。
【請求項５】
前記可視化装置が覆うような方法で同時に前記複数の候補画像を可視化し、前記複数の候補画像を個別に順々に視覚的に強調し、各候補画像はある期間視覚的に強調され、特定候補画像はこの候補画像が視覚的に強調されている間に前記選択ボタンの駆動によって選択される、請求項１に記載の医用画像装置。
【請求項６】
前記セグメンテーション装置が各候補画像に対する関連性因子を示すランキングリストを提供する、請求項１に記載の医用画像装置。
【請求項７】
前記可視化装置が前記ランキングリストの順番で前記候補画像を可視化する、請求項６に記載の医用画像装置。
【請求項８】
前記可視化装置が全候補画像のシリーズを連続的に可視化し、前記シリーズの最後の候補画像の可視化後、前記シリーズの最初の画像を可視化するために循環して戻る、請求項１に記載の医用画像装置。
【請求項９】
前記可視化装置が候補画像の全シリーズが可視化されていることをユーザに示す、請求項８に記載の医用画像装置。
【請求項１０】
前記医用画像装置が医用インターベンション中に前記患者を位置付けるための患者台をさらに有し、前記選択ボタンが前記患者台に設けられる、請求項１に記載の医用画像装置。
【請求項１１】
前記選択ボタンが医師の肘によって押されるほど十分に大きな駆動面を持つ、請求項１に記載の医用画像装置。
【請求項１２】
前記画像収集装置が前記関心領域の血管造影画像を収集し、前記セグメンテーション装置が前記血管造影画像に基づいて異なって識別された解剖学的構造を有する複数の候補画像を提供し、前記複数の候補画像を記憶し、前記可視化装置が医用インターベンション中にその後収集される同じ関心領域の蛍光透視画像上に前記候補画像を重ね合わせる、請求項１に記載の医用画像装置。
【請求項１３】
前記画像収集装置がＸ線画像収集装置を有する、請求項１乃至１２のいずれか一項に記載の医用画像装置。